(57)【要約】【課題】光プローブの回転速度の切り換えを可能とし、ユーザの観察する部位に応じて好適な画像品質の光断層画像を提供する。【解決手段】光プローブを回転走査し、測定対象からの反射信号を取得し、取得した反射信号に基づいて測定対象の光断層画像を形成する光断層画像取得装置であって、前記光プローブの測定部位を特定する測定部位特定手段と、前記特定された光プローブの測定部位に応じて回転速度を変更する回転速度変更手段を備えたことを特徴とする光断層画像取得装置を提供することにより前記課題を解決する。【選択図】図１
2010125271.tif 000002
【特許請求の範囲】
【請求項１】
光プローブを回転走査し、測定対象からの反射信号を取得し、取得した反射信号に基づいて測定対象の光断層画像を形成する光断層画像取得装置であって、
前記光プローブの測定部位を特定する測定部位特定手段と、
前記特定された光プローブの測定部位に応じて回転速度を変更する回転速度変更手段を備えたことを特徴とする光断層画像取得装置。
【請求項２】
前記回転速度変更手段は、予め各測定部位ごとに設定された回転速度の中から、前記特定された測定部位に対応する回転速度を設定することにより、回転速度を変更することを特徴とする請求項１に記載の光断層画像取得装置。
【請求項３】
前記光プローブは内視鏡の鉗子口から体腔内に挿入されていることを特徴とする請求項１または２に記載の光断層画像取得装置。
【請求項４】
前記測定部位特定手段は、ユーザが測定部位を指定する測定部位入力手段であることを特徴とする請求項１〜３のいずれかに記載の光断層画像取得装置。
【請求項５】
前記測定部位特定手段は、体腔内に挿入された内視鏡の撮像画像に基づいて前記測定部位を特定することを特徴とする請求項３に記載の光断層画像取得装置。
【請求項６】
前記測定部位特定手段は、体腔内に挿入する内視鏡の挿入場所と、挿入された内視鏡の長さから測定部位を特定することを特徴とする請求項３に記載の光断層画像取得装置。
【請求項７】
前記測定部位特定手段は、内視鏡に装着されたリニアスケールと、内視鏡挿入部に装着されるエンコーダ検出器により前記挿入された内視鏡の長さを検出することを特徴とする請求項６に記載の光断層画像取得装置。
【発明の詳細な説明】
【技術分野】
【０００１】
本発明は、光断層画像取得装置に係り、特に、生体組織の観察・診断を行うために、体腔内に光プローブを挿入して生体組織の光断層画像を取得する光断層画像取得装置に関する。
【背景技術】
【０００２】
従来、生体組織等の測定対象を切断せずに断面画像を取得する方法として光干渉断層（ＯＣＴ：Optical Coherence Tomography）計測法を利用した光断層画像化装置（光断層画像取得装置）が知られている。
【０００３】
このＯＣＴ計測法は、光干渉計測法の一種であり、光源から射出された光を測定光と参照光との２つに分け、測定光と参照光との光路長が光源のコヒーレンス長以内の範囲で一致したときにのみ光干渉が検出されることを利用した計測方法である。
【０００４】
このような光断層画像取得装置（ＯＣＴ装置）を用い、内視鏡装置の鉗子口に光プローブ（ＯＣＴプローブ）を挿入して信号光および信号光の反射光を導光し、体腔内の光断層画像を取得することにより、生体組織の観察及び診断を行うことができる。
【０００５】
例えば、光走査プローブ内の光ファイバを一定速度で回転し、低干渉光を照射しつつ光走査プローブの軸に垂直な方向に放射状に走査して、生体組織の内部の断層画像データを得て２次元の断層画像を取得するようにした光断層画像装置が知られている（例えば、特許文献１等参照）。
【特許文献１】特開２０００−１３１２２２号公報
【発明の開示】
【発明が解決しようとする課題】
【０００６】
しかしながら、上記従来のものでは、光プローブの回転速度は一つの回転速度を設定することしか想定されていなかった。そのため、ユーザが観察する部位、例えば、胃や大腸や気管支等の部位により必要となる光断層画像の面方向の分解能が異なってもそれに対応することができないという問題があった。例えば、胃の場合では、胃粘膜の層構造が把握できればよいので比較的粗い解像度でよいが、大腸の場合には、ビットパターンと呼ばれる腺管構造を観察するためにより細かい解像度が望まれる。ここで、画像分解能を向上させることと、画像処理及び画像表示速度を向上させることはデータ量の関係上トレードオフとなるため、観察部位に適した画像分解能で測定が行われることが好ましい。
【０００７】
しかし、従来技術では、観察部位によっては分解能が粗すぎたり、または分解能が必要以上に精細なため必要以上に時間がかかるという問題があった。
【０００８】
本発明は、このような事情に鑑みてなされたもので、光プローブの回転速度の切り換えを可能とし、ユーザの観察する部位に応じて好適な画像品質の光断層画像を提供することのできる光断層画像取得装置を提供することを目的とする。
【課題を解決するための手段】
【０００９】
前記目的を達成するために、請求項１に記載の発明は、光プローブを回転走査し、測定対象からの反射信号を取得し、取得した反射信号に基づいて測定対象の光断層画像を形成する光断層画像取得装置であって、前記光プローブの測定部位を特定する測定部位特定手段と、前記特定された光プローブの測定部位に応じて回転速度を変更する回転速度変更手段を備えたことを特徴とする光断層画像取得装置を提供する。
【００１０】
これにより、光プローブの回転速度の切り換えを可能とし、ユーザの観察する部位に応じて好適な画像品質の光断層画像を得ることができる。
【００１１】
また、請求項２に示すように、前記回転速度変更手段は、予め各測定部位ごとに設定された回転速度の中から、前記特定された測定部位に対応する回転速度を設定することにより、回転速度を変更することを特徴とする。
【００１２】
これにより、各測定部位ごとに適した回転速度に直ちに変更することができる。
【００１３】
また、請求項３に示すように、前記光プローブは内視鏡の鉗子口から体腔内に挿入されていることを特徴とする。
【００１４】
これにより、体腔内に挿入された内視鏡の場合にも測定部位に応じてプローブ回転速度を変更することができる。
【００１５】
また、請求項４に示すように、前記測定部位特定手段は、ユーザが測定部位を指定する測定部位入力手段であることを特徴とする。
【００１６】
これにより、ユーザが部位を指定するだけでその部位に適したプローブ回転速度に変更することができ、その部位に適した画像品質の断層画像を得ることができる。
【００１７】
また、請求項５に示すように、前記測定部位特定手段は、体腔内に挿入された内視鏡の撮像画像に基づいて前記測定部位を特定することを特徴とする。
【００１８】
また、請求項６に示すように、前記測定部位特定手段は、体腔内に挿入する内視鏡の挿入場所と、挿入された内視鏡の長さから測定部位を特定することを特徴とする。
【００１９】
さらに、請求項７に示すように、前記測定部位特定手段は、内視鏡に装着されたリニアスケールと、内視鏡挿入部に装着されるエンコーダ検出器により前記挿入された内視鏡の長さを検出することを特徴とする。
【００２０】
これにより、装置が自動的に測定部位を特定してプローブ回転速度を変更するため、ユーザは観察に専念し、回転速度を気にすることなく、各部位に好適な回転速度による断層画像を得ることができる。
【発明の効果】
【００２１】
以上説明したように、本発明によれば、光プローブの回転速度の切り換えを可能とし、ユーザの観察する部位に応じて好適な画像品質の光断層画像を得ることができる。
【発明を実施するための最良の形態】
【００２２】
以下、添付図面を参照して、本発明に係る光断層画像取得装置について詳細に説明する。
【００２３】
図１は、本発明の第１実施形態に係る光断層画像取得装置の概略構成を示すブロック図である。
【００２４】
図１に示す本実施形態の光断層画像取得装置１０は、光干渉断層（ＯＣＴ：Optical Coherence Tomography）計測法、特にＴＤ−ＯＣＴ（Time Domain OCT)により測定対象の光断層画像を取得するものである。本実施形態の光断層画像取得装置１０は、測定のための光Ｌａを射出する光源部（光源ユニット）１２と、光源部１２から射出された光Ｌａを測定光Ｌ１と参照光Ｌ２に分岐するとともに、被検体である測定対象Ｓからの戻り光Ｌ３と参照光Ｌ２を合波して干渉光Ｌ４、Ｌ５を生成する光ファイバカプラ（分岐合波部）１４と、光ファイバカプラ１４で分岐された測定光Ｌ１を測定対象まで導波するとともに測定対象からの戻り光Ｌ３を導波する回転側光ファイバＦＢ１を備える光プローブ（光プローブ装置）１６と、測定光Ｌ１を回転側光ファイバＦＢ１まで導波するとともに回転側光ファイバＦＢ１によって導波された戻り光Ｌ３を導波する固定側光ファイバＦＢ２と、回転側光ファイバＦＢ１を固定側光ファイバＦＢ２に対して回転可能に接続し、測定光Ｌ１および戻り光Ｌ３を伝送する光ロータリアダプタ１８と、光ファイバカプラ１４で生成された干渉光Ｌ４、Ｌ５を干渉信号として検出する干渉光検出部２０と、この干渉光検出部２０によって検出された干渉信号を処理して光断層画像（以下、単に「断層画像」あるいは「ＯＣＴ画像」とも言う）を取得する処理部２２と、処理部２２で取得された断層画像を表示する表示部２４とを有する。
【００２５】
また、光断層画像取得装置１０は、参照光Ｌ２の光路長を調整する光路長調整部２６と、光源部１２から射出された光Ｌａを分光する光ファイバカプラ２８と、光ファイバカプラ１４で合波された干渉光Ｌ４およびＬ５をそれぞれ検出する検出器３０ａおよび３０ｂと、処理部２２や表示部２４等への各種条件の入力、設定の変更等を行う制御操作部３２とを有する。
【００２６】
なお、後述するが図１に示す光断層画像取得装置１０においては、上述した射出光Ｌａ、測定光Ｌ１、参照光Ｌ２および戻り光Ｌ３などを含む種々の光を各光デバイスなどの構成要素間で導波し、伝送するための光の経路として、回転側光ファイバＦＢ１および固定側光ファイバＦＢ２を含め種々の光ファイバＦＢ（ＦＢ３、ＦＢ４、ＦＢ５、ＦＢ６、ＦＢ７など）が用いられている。
【００２７】
光源部１２は、ＯＣＴの信号光（例えば、波長１．３μｍのレーザ光）を射出するものであり、例えば、ＳＬＤ（Super Luminescent Diode）やＡＳＥ（Amplified Spontaneous Emmision)等の低コヒーレンスの光Ｌａを射出する光源１２ａと、光源１２ａから射出された低コヒーレント光Ｌａを集光して光ファイバＦＢ４内に入射するためのレンズ（光学系）１２ｂとを備えている。光源部１２から射出された光Ｌａは、光ファイバＦＢ４、ＦＢ３を介して光ファイバカプラ１４に入力される。
【００２８】
光ファイバカプラ（分岐合波部）１４は、例えば２×２の光ファイバカプラで構成されており、光ファイバＦＢ２、光ファイバＦＢ３、光ファイバＦＢ５、光ファイバＦＢ７とそれぞれ光学的に接続されている。
【００２９】
光ファイバカプラ１４は、光源部１２から光ファイバＦＢ４、光ファイバカプラ２８及びＦＢ３を介して入射した光Ｌａを測定光Ｌ１と参照光Ｌ２とに分割する。測定光Ｌ１は光ファイバＦＢ２を介して光ロータリアダプタ１８に入力され、参照光Ｌ２は光ファイバＦＢ５を介して光路長調整部２６に入力される。
【００３０】
さらに、光ファイバカプラ１４は、後述するように光路長調整部２６によって周波数シフトおよび光路長の変更が施されて光ファイバＦＢ５に戻った参照光Ｌ２と、測定対象Ｓで反射し光プローブ１６で取得され光ファイバＦＢ１及び光ファイバＦＢ２から導波された戻り光Ｌ３とを合波し、光ファイバＦＢ３及び光ファイバＦＢ６に射出する。
【００３１】
光プローブ１６は、光ロータリアダプタ１８を介して、光ファイバＦＢ２と接続されている。測定光Ｌ１は、光ファイバＦＢ２から光ロータリアダプタ１８を介して光プローブ１６内の光ファイバＦＢ１に入力される。入力された測定光Ｌ１は光ファイバＦＢ１によって伝送され測定対象Ｓに照射される。そして、光プローブ１６は、測定対象Ｓで反射された戻り光Ｌ３を取得し、取得した戻り光Ｌ３を光ファイバＦＢ１によって伝送して、光ロータリアダプタ１８を介して、光ファイバＦＢ２に射出するようになっている。
【００３２】
光ロータリアダプタ１８は、固定された光ファイバＦＢ２と光プローブ１６内で回転する光ファイバＦＢ１とを光学的に接続するものである。
【００３３】
干渉光検出部２０は、光ファイバＦＢ６および光ファイバＦＢ７と接続されており、光ファイバカプラ１４で参照光Ｌ２と戻り光Ｌ３とを合波して生成された干渉光Ｌ４およびＬ５を干渉信号として検出するものである。
【００３４】
ここで、光断層画像取得装置１０は、光ファイバカプラ２８から分岐させた光ファイバＦＢ６の光路上に設けられ干渉光Ｌ４の光強度を検出する検出器３０ａと、光ファイバＦＢ７上に設けられ干渉光Ｌ５の光強度を検出する検出器３０ｂと、を有している。
【００３５】
干渉光検出部２０は、検出器３０ａおよび検出器３０ｂの検出結果に基づいて、光ファイバＦＢ６から検出する干渉光Ｌ４と光ファイバＦＢ７から検出する干渉光Ｌ５の強度のバランスを調整する。
【００３６】
干渉光検出部２０は、例えばヘテロダイン検波により干渉光Ｌ４の光強度を検出するようになっている。具体的には、測定光Ｌ１の全光路長とと戻り光Ｌ３の全光路長との合計が参照光Ｌ２の全光路長と等しいときに、参照光Ｌ２と戻り光Ｌ３との差周波数で強弱を繰り返すビート信号が発生する。光路長調整部２６により光路長が変更されていくにつれて、測定対象Ｓの深さ方向の測定位置が変わっていき、干渉光検出部２０は各測定位置における複数のビート信号を検出するようになっている。
【００３７】
なお、測定位置の情報は光路長調整部２６から干渉光検出部２０及び処理部２２へ出力されるようになっている。そして、干渉光検出部２０により検出されたビート信号と、ミラー駆動機構４２における測定位置の情報に基づいて処理部２２において光断層画像が生成されるようになっている。
【００３８】
処理部２２は、このように干渉光検出部２０で検出した干渉信号から断層画像を取得する。具体的には、測定位置における光プローブ１６と測定対象Ｓとの接触している領域、より正確には光プローブ１６のプローブ外筒（シース）の表面と測定対象Ｓの表面とが接触しているとみなせる領域を光ロータリアダプタ１８からの信号によって検出し、さらに干渉光検出部２０で検出した干渉信号から断層画像を取得する。
【００３９】
表示部２４は、ＣＲＴあるいは液晶表示装置等で構成され、処理部２２から送信された断層画像を表示する。
【００４０】
光路長調整部２６は、測定対象Ｓ内の測定位置を深さ方向に変化させるために、参照光Ｌ２の光路長を変える機能を有し、光ファイバＦＢ５の参照光Ｌ２の射出側（すなわち、光ファイバＦＢ５の光ファイバカプラ１４とは反対側の端部）に配置されている。また、参照光Ｌ２の光路である光ファイバＦＢ５の途中に位相変調器３４が配置されている。位相変調器３４は、参照光Ｌ２に対してわずかな周波数シフトを与える機能を有している。
【００４１】
光路長調整部２６は、参照光Ｌ２の光路長を変えるものであり、光学系３６及び反射ミラー３８を有している。光学系３６は光ファイバＦＢ５から射出した参照光Ｌ２を平行光にするとともに、反射ミラー３８から反射した参照光Ｌ２を光ファイバＦＢ５に対し集光する機能を有している。反射ミラー３８は可動ステージ４０上に配置されており、可動ステージ４０はミラー駆動機構４２により矢印Ａ方向に移動可能に設けられている。そして可動ステージ４０が矢印Ａ方向に移動することにより、参照光Ｌ２の光路長が変更するようになっている。このようにして、参照光Ｌ２の光路長が調整される。
【００４２】
制御操作部３２は、キーボード、マウス等の入力手段と、入力された情報に基づいて各種条件を管理する制御手段とを有し、処理部２２および表示部２４に接続されている。制御操作部３２は、入力手段から入力されたオペレータの指示に基づいて、処理部２２における各種処理条件等の入力、設定、変更や、表示部２４の表示設定の変更等を行う。
【００４３】
なお、制御操作部３２は、操作画面を表示部２４に表示させてもよいし、別途表示部を設けて操作画面を表示させてもよい。
【００４４】
なお、測定時には、光プローブ１６内の光ファイバＦＢ１が図に矢印で示したように回転し、その先端に設置された光射出部４４から測定対象Ｓに対して回転しながら測定光Ｌ１が照射される。このように、光プローブ１６が回転する（正確には光プローブ１６内の光射出部４４が回転するのであるが、これを簡単に光プローブ１６が回転するとも言う）ことにより２次元的な断層画像を得ることができる。
【００４５】
このときの測定対象ＳのＯＣＴ画像（光断層画像）の一例を図２に模式的に示す。
【００４６】
処理部２２は、干渉光検出部２０により取得された１周期分（１ライン分）の干渉信号（断層情報）ＩＳを光プローブ１６のラジアル方向（図中矢印Ｒで示す方向）について取得し、図２に示すような１枚の断層画像Ｂを生成する。図中符号５０で示す黒い部分が光プローブ１６が測定対象Ｓに接触した観察部位を表している。
【００４７】
また図２において周上に配置された各点が各スキャン（走査）を表し、αが干渉計の各スキャン間隔であり、これがラジアル方向の画像分解能（解像度）となる。従って、プローブ回転速度が遅いとラジアル方向のスキャン間隔が狭くなり高分解能となり、逆にプローブ回転速度が速いとラジアル方向のスキャン間隔が広くなり低分解能となる。
【００４８】
このとき、ユーザが観察する部位に応じて適した画像分解能で測定が行われることが好ましい。ＯＣＴを用いた光断層画像取得装置の画像分解能はプローブの回転速度により決まるため、測定部位に応じてその部位に適したプローブ回転速度を設定することが必要である。
【００４９】
そこで、本発明の光断層画像取得装置１０は、ユーザが観察する部位に対応してプローブ回転速度（光プローブ１６内の光射出部４４の回転速度）を切り換えることを可能にしたものである。
【００５０】
まず第１実施形態は、ユーザ自身がプローブ回転速度を切り換えることができるようにしたものである。
【００５１】
そのため、第１実施形態の光断層画像取得装置１０は、図１に示すように、測定部位回転速度記憶部４６及びユーザ部位設定部４８を備えている。
【００５２】
測定部位回転速度記憶部４６は、例えば、胃に対するプローブ回転速度は○ｒｐｍ、気管支に対するプローブ回転速度は△ｒｐｍ、大腸に対するプローブ回転速度は□ｒｐｍのように、予め部位ごとに設定された複数種類のプローブ回転速度を記憶しておくものである。
【００５３】
ユーザ部位設定部４８は、これを介してユーザが部位を指定することでその部位に対応するプローブ回転速度を設定するものである。ユーザは、部位に応じてプローブ回転速度を変更する場合には、ユーザ部位設定部４８を介して部位を指定することで、測定部位回転速度記憶部４６に記憶されているプローブ回転速度の中から指定された部位に対応するプローブ回転速度を指定する。すると、指定されたプローブ回転速度が制御操作部３２に送られる。制御操作部３２は、光ロータリアダプタ１８に信号を送り、光プローブ１６が指定されたプローブ回転速度で回転するように制御する。
【００５４】
このようにして、本実施形態においては、ユーザがユーザ部位設定部４８を介して、例えば胃、大腸、気管支等の測定部位を指定すると、指定された測定部位ごとに予め設定された回転速度で光プローブ１６が回転するように制御される。
【００５５】
また、表示部２４の表示画面に表示されるＯＣＴ画像にそのときのプローブ回転速度をその画像の解像度として「ファインモード」あるいは「ノーマルモード」のように表示して記録するようにすると、後でその画像を観察したときに、どの程度のプローブ回転速度で測定された画像なのかがわかるので好ましい。なお、表示方法も上のようにモードを示す言葉で表示してもよいし、もちろんプローブ回転速度そのものを表示するようにしてもよい。
【００５６】
また、プローブ回転速度は、予め部位ごとに設定されているが、表示された画像を見たユーザがさらにそこからプローブ回転速度を調整（微調整）できるようにしてもよい。
【００５７】
次に、本発明の第２実施形態について説明する。
【００５８】
第２実施形態は、通常の内視鏡画像に対して画像判定を行い測定部位を特定して、その特定した部位に対して予め設定されたプローブ回転速度で光プローブを回転させるものである。
【００５９】
図３に、第２実施形態の光断層画像取得装置の概略構成を示す。
【００６０】
図３に示すように、本実施形態の光断層画像取得装置１００は、図１に示した第１実施形態の光断層画像取得装置１０と略同じ構成をしており、異なる点は、図１の光断層画像取得装置１０のユーザ部位設定部４８の代わりに、内視鏡撮像部５０から内視鏡画像を得て部位画像データベース（部位画像ＤＢ）５２のデータを参照して測定部位を特定する内視鏡画像処理部５４を備えたことである。
【００６１】
そこで、内視鏡画像処理部５４に係る部分以外の構成要素については、図１の光断層画像取得装置１０と同じ符号を付して詳しい説明は省略する。
【００６２】
内視鏡撮像部５０は、通常の内視鏡画像を撮像するものであり、測定部位によって反射された照明光をＣＣＤ等の撮像素子で検出するものである。内視鏡撮像部５０によって検出された反射光の電気信号は内視鏡画像処理部５４に送られる。
【００６３】
内視鏡画像データベース５２は、以前の観察で得られた多数の部位画像を集積したデータベースである。
【００６４】
内視鏡画像処理部５４は、送られた信号に対して信号処理を施し、内視鏡画像を生成する。そして、内視鏡画像処理部５４は、この画像を部位画像データベース５２に格納されている部位画像と照合して、内視鏡撮像部５０が撮像した測定部位がどの部位であるかを、特定パターン抽出や色味抽出などの画像処理を行って特定する。
【００６５】
内視鏡画像処理部５４によって特定された測定部位は制御操作部３２に送られる。制御操作部３２は、測定部位を受け取るとこの測定部位に対応するプローブ回転速度を、予め測定部位回転速度記憶部４６に設定された回転速度の中から呼び出して、光プローブ１６がこの回転速度で回転するように制御する。
【００６６】
このように、本実施形態においては、ユーザが部位を指定するのではなく、装置が自動的に測定部位を特定して、その特定した部位に対応するプローブ回転速度に変更するようにしているため、ユーザはプローブ回転速度のことは気にせずに観察に専念することができる。
【００６７】
次に、本発明の第３実施形態について説明する。
【００６８】
第３実施形態は、体腔内に内視鏡を挿入する場所と、挿入した内視鏡の長さから測定部位を特定するものである。
【００６９】
図４に、第３実施形態の光断層画像取得装置の概略構成を示す。
【００７０】
図４に示すように、本実施形態の光断層画像取得装置２００は、図１に示した第１実施形態の光断層画像取得装置１０と略同じ構成をしており、異なる点は、図１の光断層画像取得装置１０のユーザ部位設定部４８の代わりに、内視鏡長さ読み取り部５６及び部位判断部６０を備えたことである。
【００７１】
内視鏡長さ読み取り部５６は、内視鏡の体腔内に挿入された部分の長さを検出するものである。
【００７２】
図５に内視鏡長さ読み取り部５６の一例を示す。図５に示す例は、口から体腔内に内視鏡６４を挿入する場合である。内視鏡６４にはスケール（リニアスケール）６４ａが装着されている。また、口から内視鏡６４を挿入する際、被検者が口にくわえるマウスピースに内視鏡長さ読み取り部５６として内視鏡６４のスケール６４ａを読み取るエンコーダ検出器６６が設置されている。
【００７３】
エンコーダ検出器６６が読み取ったスケール６４ａから内視鏡６４の挿入長さが検出される。この内視鏡挿入長さデータ５８はエンコーダ検出器６６から直接、部位判断部６０に送るようにしてもよいし、エンコーダ検出器６６が検出した内視鏡挿入長さをユーザが読み取って、ユーザが部位判断部６０に入力するようにしてもよい。
【００７４】
一方、部位判断部６０には、内視鏡６４が挿入された場所のデータが入力される。内視鏡６４を体腔内に挿入する場所としては、口、鼻、肛門等が考えられる。この内視鏡挿入場所データ６２も装置が自動的に判断して部位判断部６０に送るようにしてもよいし、ユーザが入力するようにしてもよい。
【００７５】
部位判断部６０は、内視鏡挿入場所のデータと、その場所から体腔内に挿入された内視鏡長さとからそのときの測定部位を判断する。例えば、口から２０ｃｍ挿入された場合は気管支あるいは食道であるとか、４０ｃｍ挿入された場合は胃であるとか判断する。個人差も考えられため、事前に様々なサンプルを収集して挿入場所及び挿入長さと部位との関係のデータを多数蓄積しておくことが好ましい。そして、例えばその人の身長からどのデータを用いるかを決めるようにしてもよい。
【００７６】
このようにして部位判断部６０が特定した測定部位は制御操作部３２に送られる。制御操作部３２は、送られた測定部位に対応するプローブ回転速度を測定部位回転速度記憶部４６から呼び出して設定し、この回転速度で光プローブ１６が回転制御される。
【００７７】
なお、内視鏡長さ読み取り部５６及び部位判断部６０に係る部分以外の構成要素については、図１の光断層画像取得装置１０と同じ符号を付して詳しい説明は省略する。
【００７８】
このように、本実施形態においては、内視鏡の挿入された部分の長さから測定部位を特定し、その測定部位に対して対応するプローブ回転速度で光断層画像を得るようにしており、ユーザが特に意識することなく、各測定部位に応じて適切な回転速度に変更されるため、測定部位に応じた好適な画像品質の断層画像を得ることができる。
【００７９】
以上、本発明の光断層画像取得装置について詳細に説明したが、本発明は、以上の例には限定されず、本発明の要旨を逸脱しない範囲において、各種の改良や変形を行ってもよいのはもちろんである。
【図面の簡単な説明】
【００８０】
【図１】本発明の第１実施形態に係る光断層画像取得装置の概略構成を示すブロック図である。
【図２】測定対象のＯＣＴ画像（光断層画像）の一例を模式的に示す説明図である。
【図３】本発明の第２実施形態に係る光断層画像取得装置の概略構成を示すブロック図である。
【図４】本発明の第３実施形態に係る光断層画像取得装置の概略構成を示すブロック図である。
【図５】内視鏡長さ読み取り部の一例を示す説明図である。
【符号の説明】
【００８１】
１０…（第１実施形態の）光断層画像取得装置、１２…光源部、１４…光ファイバカプラ、１６…光プローブ、１８…光ロータリアダプタ、２０…干渉光検出部、２２…処理部、２４…表示部、２６…光路長調整部、３２…制御操作部、４６…測定部位回転速度記憶部、４８…ユーザ部位設定部、５０…内視鏡撮像部、５２…部位画像データベース、５４…内視鏡画像処理部、５６…内視鏡長さ読み取り部、６０…部位判断部、１００…（第２実施形態の）光断層画像取得装置、２００…（第３実施形態の）光断層画像取得装置
【図１】
2010125271.tif 000003
【図２】
2010125271.tif 000004
【図３】
2010125271.tif 000005
【図４】
2010125271.tif 000006
【図５】
2010125271.tif 000007